(57)【要約】      （修正有）【課題】タブレット型端末を収納するホルダーであって、横置きのどちらについても、傾斜角度を一定範囲で任意に変えることができるタブレット型端末のスタンド兼ホルダーを提供する。【解決手段】タブレット型端末２００のコーナー部分を支持するコーナー部材が設けられ、タブレット型端末を保持する下面カバー４と、折り曲げ可能に設けられたスタンド部５を有し、下面カバー４と共にタブレット型端末を挟み込む上面カバー２と、下面カバー４及び上面カバー２に折り曲げ可能に連設する背面カバー３と、背面カバー３の反対側に上面カバー２に連設された正面カバー１と、間隔を有して背面カバー３及び下面カバー４にかけて形成された同一長さの２つの切り込み線１０と、正面カバー１及び上面カバー２に形成され、上面カバー２に形成された部材が正面カバー側１に形成された部材に係合して、スタンド部５の立ち上がり角度を調整する角度調整部材１２を備える。【選択図】図１
0003188946.tif 000002
【実用新案登録請求の範囲】
【請求項１】
タブレット型端末のコーナー部分を支持するコーナー部材が設けられて、タブレット型端末を保持する下面カバーと、
折り曲げ可能に設けられたスタンド部を有し、前記下面カバーと共に前記タブレット型端末を挟み込む上面カバーと、
前記下面カバー及び上面カバーに折り曲げ可能に連設する背面カバーと、
前記背面カバーの反対側に前記上面カバーに連設された正面カバーと、
間隔を有して前記背面カバー及び下面カバーにかけて形成された同一長さの２つの切り込み線と、
前記正面カバー及び上面カバーに形成され、前記上面カバーに形成された部材が前記正面カバー側に形成された部材に係合して、前記スタンド部の立ち上がり角度を調整する角度調整部材と、
を備えることを特徴とするタブレット型端末のスタンド兼ホルダー。
【請求項２】
前記角度調整部材は、前記正面カバーに沿って上面カバーに形成された調整舌片と、前記調整舌片が入り込むように前記正面カバー側に形成された調整溝とからなり、
前記調整舌片が前記調整溝に入り込んで前記スタンド部の立ち上がり角度の調整を行うことを特徴とする請求項１に記載のタブレット型端末のスタンド兼ホルダー。
【請求項３】
前記上面カバーは、前記スタンド部が設けられていない領域に前記背面カバーとの連設部分と平行な方向に、折り曲げ線が設けられていることを特徴とする請求項１に記載のタブレット型端末のスタンド兼ホルダー。
【請求項４】
前記スタンド部のスタンド使用時の接地部分に、滑り止めが設けられていることを特徴とする請求項１に記載のタブレット型端末のスタンド兼ホルダー。
【請求項５】
前記下面カバー、背面カバー、上面カバー及び内面カバーのタブレット型端末と接触可能な面には、内張り材が設けられ、前記背面カバー及び下面カバーに形成された切り込み線及び前記スタンド部に対応して切り込みが設けられていることを特徴とする請求項１に記載のタブレット型端末のスタンド兼ホルダー。
【請求項６】
前記上面カバー及び下面カバーには、ホルダーカバーを装着するための装着孔が設けられていることを特徴とする請求項１に記載のタブレット型端末のスタンド兼ホルダー。
【請求項７】
前記装着孔に挿入される装着突起と、カバー端部の固定のための装着爪を有する付け替え可能なホルダーカバーを備えることを特徴とする請求項６に記載のタブレット型端末のスタンド兼ホルダー。
【考案の詳細な説明】
【技術分野】
【０００１】
本考案は、タブレット型端末のスタンド兼ホルダーに係り、より詳しくは、タブレット型端末を収納して携帯用ホルダーとして使用でき、また、タブレット型端末を縦にも横にも傾斜させて支持可能なスタンドとして使用できるタブレット型端末のスタンド兼ホルダーに関する。
【背景技術】
【０００２】
特許文献１には、タブレット型端末を粘着シートに吸着させて固定し、横向き画面で画面傾斜角度が変えられるタブレット型端末のスタンド兼ホルダーが記載されている。しかしながら、タブレット型端末を縦向き画面で使用する場合には、タブレット型端末を付け替える必要を生じ、縦向き画面での使用後にホルダーに収納するには、再度タブレット型端末を付け替える必要がある。
【０００３】
特許文献２には、縦、横の直立置き、寝かせ置き、手持ち操作に対応したスタンドと取手を有するタブレットＰＣの保護フレーム構造が記載されている。しかしながら、タブレット背面側にスタンドを設けたものであり、携帯して持ち運ぶ際にタブレット型端末を包み込んで保護するホルダーとしての機能はない。また、縦、横の直立置き、寝かせ置きに対応してスタンドを設けたものであり、スタンドの高さの異なるスタンドを設けることにより複数の画面傾斜角度が取れるようにしたものであり、縦横の傾斜角度に合わせてそれぞれに対応した高さのスタンドを背面に設置しなければならず、傾斜角度の任意の調整には限界がある。
【先行技術文献】
【特許文献】
【０００４】
【特許文献１】登録実用新案第３１７７６６０号
【特許文献２】登録実用新案第３１６４１８８号
【考案の概要】
【考案が解決しようとする課題】
【０００５】
本考案は、上記従来技術の問題点に鑑みてなされたものであって、本考案の目的は、タブレット型端末を収納するホルダーであって、タブレット型端末を収納した状態のまま、縦置き、横置きのどちらについても、傾斜角度を一定範囲で任意に変えることができるタブレット型端末スタンドとして用いることのできるタブレット型端末のスタンド兼ホルダーを提供することにある。
【課題を解決するための手段】
【０００６】
本考案のタブレット型端末のスタンド兼ホルダーは、タブレット型端末のコーナー部分を支持するコーナー部材が設けられて、タブレット型端末を保持する下面カバーと、折り曲げ可能に設けられたスタンド部を有し、前記下面カバーと共に前記タブレット型端末を挟み込む上面カバーと、前記下面カバー及び上面カバーに折り曲げ可能に連設する背面カバーと、前記背面カバーの反対側に前記上面カバーに連設された正面カバーと、間隔を有して前記背面カバー及び下面カバーにかけて形成された同一長さの２つの切り込み線と、前記正面カバー及び上面カバーに形成され、前記上面カバーに形成された部材が前記正面カバー側に形成された部材に係合して、前記スタンド部の立ち上がり角度を調整する角度調整部材と、を備えることを特徴とするタブレット型端末のスタンド兼ホルダー。
【０００７】
前記角度調整部材は、前記正面カバーに沿って上面カバーに形成された調整舌片と、前記調整舌片が入り込むように前記正面カバー側に形成された調整溝とからなり、前記調整舌片が前記調整溝に入り込んで前記スタンド部の立ち上がり角度の調整を行う。
【０００８】
前記上面カバーは、前記スタンド部が設けられていない領域に前記背面カバーとの連設部分と平行な方向に、折り曲げ線が設けられている。
【０００９】
前記スタンド部のスタンド使用時の接地部分に、滑り止めが設けられ、前記下面カバー、背面カバー、上面カバー及び内面カバーのタブレット型端末と接触可能な面には、内張り材が設けられ、前記背面カバー及び下面カバーに形成された切り込み線及び前記スタンド部に対応して切り込みが設けられている。
【００１０】
本考案のタブレット型端末のスタンド兼ホルダーは、前記上面カバー及び下面カバーには、ホルダーカバーを装着するための装着孔が設けられ、前記装着孔に挿入される装着突起と、カバー端部の固定のための装着爪を有する付け替え可能なホルダーカバーを備える。
【考案の効果】
【００１１】
本考案のタブレット型端末のスタンド兼ホルダーは、タブレット型端末を安全に持ち運ぶのに適したホルダー機能を有し、タブレット型端末をホルダーに収納した状態でホルダーカバーの変形のみで、縦置き、横置きどちらの置き方においても画面傾斜角度が一定範囲で任意に変えることができるスタンドとなる。
【００１２】
本考案のタブレット型端末のスタンド兼ホルダーは、また、タブレット型端末でテレビ等の動画を視聴する場合に適したタブレット型端末の画面が前部に位置する画面前部スタンド及び電子書籍の閲覧等に適したスタンド上部にタブレット型端末の画面が位置する画面上部スタンドとして使用できる。
【００１３】
本考案のタブレット型端末のスタンド兼ホルダーは、前述のように、ホルダー形態、横置き角度可変スタンド形態、縦置き角度可変スタンド形態、画面前部スタンド形態、画面上部スタンド形態の合計５つの形態に変形可能な多機能型スタンド兼ホルダーであり、また、部品点数が少なく製造が容易であり、収納サイズに余裕を持たせられるボックス収納型であるため、同一画面サイズであってもメーカーごとにサイズの異なるタブレット型端末においても、特定メーカーの製品に限定されることなく使用可能である。
【００１４】
また、本考案のタブレット型端末のスタンド兼ホルダーは、下面カバー及びコーナー部、背面カバー、上面カバー、正面カバーの外装部分を覆う付け替え可能なホルダーカバーを備えるので、多様な外装を選択することができる。
【図面の簡単な説明】
【００１５】
【図１】本考案の一実施形態に係るタブレット型端末のスタンド兼ホルダーの斜視図である。
【図２】本考案の一実施形態に係るタブレット型端末のスタンド兼ホルダーの角度調整部材の拡大斜視図である。
【図３】本考案の一実施形態に係るタブレット型端末のスタンド兼ホルダーのホルダー形態を説明するための斜視図である。
【図４】本考案の一実施形態に係るタブレット型端末のスタンド兼ホルダーの横置き角度可変スタンド形態を説明するための斜視図である。
【図５】本考案の一実施形態に係るタブレット型端末のスタンド兼ホルダーの縦置き角度可変スタンド形態を説明するための斜視図である。
【図６】本考案の一実施形態に係るタブレット型端末のスタンド兼ホルダーの画面前部スタンド形態を説明するための斜視図である。
【図７】本考案の一実施形態に係るタブレット型端末のスタンド兼ホルダーの画面上部スタンド形態を説明するための斜視図である。
【図８】本考案の一実施形態に係るタブレット型端末のスタンド兼ホルダーに用いるホルダーカバーの斜視図である。
【考案を実施するための形態】
【実施例】
【００１６】
以下、本考案によるタブレット型端末のスタンド兼ホルダーを実施するための形態の具体例を、図１〜８を参照して説明する。
【００１７】
図１は、本考案の一実施形態に係るタブレット型端末のスタンド兼ホルダーの斜視図である。
本実施形態のタブレット型端末のスタンド兼ホルダー１００は、例えば合成樹脂材料で製造され、角度調整部材１２を有する正面カバー１と、スタンド部５を有する上面カバー２と、背面カバー３と、第１及び第２コーナー部６、７を有する下面カバー４を有し、上面カバー２、背面カバー３及び下面カバー４のタブレット型端末２００に接する面には、内張り材８が貼られている。
【００１８】
タブレット型端末２００は、下面カバー４上に画面を上にして収納し、ホルダーとして使用する際には、正面カバー１及び上面カバー２を図１に示した矢印の方向に移動させる。
下面カバー４には、タブレット型端末２００の落下防止のための第１及び第２コーナー部６、７が四隅に設けられる。収納した端末画面の下方向に設けられた第２コーナー部は、スタンドとして使用した場合の落下防止のために前板９を有している。前板９の形状は、タブレット型端末の画面部分を隠さない大きさであることが好ましい。
また、２個の第１コーナーの一方には落下防止のための落下防止突起を有していることが好ましい。
【００１９】
背面カバー３及び下面カバー４には、それらの連設部分の直角方向に、一定の間隔を隔てて同一長さの２つの切り込み線１０が設けられ、上面カバー２と背面カバー３の連設部分、背面カバー３と下面カバー４の連設部分、及び下面カバー４の２つの切り込み線の端部を結ぶ直線部分は折り曲げ可能になっている。
【００２０】
本考案の一実施形態に係るタブレット型端末のスタンド兼ホルダーは、装着、脱着が容易なホルダーカバーを装着することができる。
上面カバー２、スタンド部５及び下面カバー４にはホルダーカバーを装着するための複数の装着孔１１が設けられている。
【００２１】
正面カバー１は、上面カバー２の一辺に約９０°の角度で連設され、上面カバー２には、立ち上がり方向に折り曲げ可能に設けられたスタンド部５が設けられる。
スタンド部５及び正面カバー１には、スタンド部５の折り曲げ角度を調節する角度調整部材１２が設けられる。
【００２２】
図２は、本実施形態のタブレット型端末のスタンド兼ホルダーの角度調整部材１２の拡大斜視図である。
角度調整部材１２は、上面カバーに形成された調整舌片１３と正面カバーに形成された調整溝１４からなり、上面カバーに形成された調整舌片１３が正面カバーに形成された調整溝１４に挟み込まれることにより、スタンド部５の折り曲げ角度を調節する。
【００２３】
調整舌片１３の先端部は、上面に傾斜が設けられており、これにより、スタンド部５が広い角度で折り曲げられるようにしている。
調整溝１４の形状は、先端部が先細りの形状であることが好ましく、これにより、スタンド部を広角に折り曲げた時の角度維持を容易にする。
また、スタンド部５には、スタンド部５を立ち上げた時に正面カバー１に設けられた調整溝１４の一部が挿入されるための孔が設けられている。
【００２４】
角度調整部材１２における角度維持は、調整舌片１３を調整溝１４の壁面が挟み付けることで行うが、調整舌片１３と調整溝１４との接触面に、角度維持機能を高めるために滑り止めのゴムシートの敷設、接触面の粗面化等の処理を施してもよい。
【００２５】
図３は、本実施形態のタブレット型端末のスタンド兼ホルダー１００のホルダー形態の斜視図である。
本実施形態のタブレット型端末のスタンド兼ホルダー１００の大きさは、例えば、１０インチ画面のタブレット型端末に対応させたものであれば、内部サイズで、縦×横×厚み＝２７０〜２９０ｍｍ×１８０〜２００ｍｍ×２０〜３０ｍｍのサイズとすることで、各メーカーのタブレット型端末に対応でき、内部の内張り材８が緩衝材となるのでホルダーに入れて移動してもタブレット型端末の損傷を防止できる。
【００２６】
図３の（Ａ）は、正面カバー１、上面カバー２側からの斜視図であり、（Ｂ）は、正面カバー１、下面カバー４側からの斜視図である。
上面カバー２は、上面カバー側に面する第２コーナー部７の前板９と重なる部分を削除して、ホルダー形態にした時に、第２コーナー部７の前板９の面と上面カバー２の面がほぼ同一の高さとなる形状とすることが好ましい。
【００２７】
図３（Ａ）に示すように、上面カバー２と第２コーナー部７の前板９の間には隙間を設け、ホルダーカバー装着時にホルダーカバーの装着爪を装着可能にしておくことが好ましく、隙間の間隔は装着爪厚みの２倍であることが好ましい。
上面カバー２及び下面カバー４には折り曲げを可能にした折り曲げ線１６〜１９が設けられ、スタンド形態で使用する際に各カバー面を折り曲げる。
【００２８】
図４は、本実施形態のタブレット型端末のスタンド兼ホルダー１００の横置き角度可変スタンド形態の斜視図である。
図４に示すように、上面カバー２を底部として、その上にタブレット型端末２００を保持した下面カバー４を置くことにより、横置き角度可変スタンド形態となる。
図４に示すように、下面カバー４の下部を移動させることにより、下面カバー４の傾斜角度を変化させることができる。
下面カバー４の傾斜角度は、直立させた状態から、正面カバー１と上面カバー２の連設部分に下面カバー４の下部を移動させた状態の角度までの範囲で、任意に調整できる。
【００２９】
横置き角度可変スタンド形態において、上面カバーに貼られた内張り材８は滑り止めの役目を果たし、下面カバー４の傾斜角度を安定に保つ。
内張り材８は、ホルダー形態で使用する場合には、タブレット型端末を衝撃から守る緩衝材として働き、横置きスタンドとして使用する場合には画面の傾斜角度を保つ滑り止め材として働く。
【００３０】
内張り材８としては、例えば、ポリウレタンやポリエチレンの発泡シートを用いることができ、０．５ｍｍ〜２．０ｍｍの厚みであることが緩衝効果、滑り止め効果の点で好ましく、シートの形状を網目状や表面に凹凸が形成されたものにすることが緩衝効果、滑り止め効果を高める上で更に好ましい。
また、内張り材８は、各カバー面の端部にホルダーカバーの装着爪を装着するために、装着爪の厚み相当分の未敷設エリアを各カバー面の端部に設けておくことが好ましい。
【００３１】
図５は、本実施形態のタブレット型端末のスタンド兼ホルダー１００の縦置き角度可変スタンド形態の斜視図である。
図５において、（Ａ）は横置き角度可変スタンド形態から縦置き角度可変スタンド形態に変形する過程を示し、図中の矢印は変形方向を示す。（Ｂ）は、縦置き角度可変スタンド形態の完成状態である。
【００３２】
縦置きスタンドの形態に変形するには、まず、スタンド部５を矢印に示すように立ち上げ、次いで矢印に示すように上面カバー２を下面カバー４の背面に折り曲げ、最後に矢印のように縦置きに回転させる。
縦置きスタンド形態での画面角度の調整は、スタンド部５の上面カバー２から立ち上げる角度によって行う。
【００３３】
縦置きスタンド形態の画面傾斜角度の調整は、スタンド部５の開度で行うが、開度の維持は、調整舌片１３と調整溝１４を有する角度調整部材１２によって行う。
また、スタンド部５の接地端部には、ゴム材等の滑り止め２０を設けることが、滑りやすい面等で使用する上で好ましい。
【００３４】
図６は、本考案の一実施形態に係るタブレット型端末のスタンド兼ホルダーの画面前部スタンド形態の斜視図である。
図６において、（Ａ）は横置き角度可変スタンド形態から画面前部スタンド形態に変形する過程を示し、図中の矢印は変形方向を示す。（Ｂ）は、画面前部スタンド形態の完成状態を示している。
【００３５】
上面カバー２は、スタンド部５が設けられていない領域に正面カバー１との連設部分と平行な方向に、折り曲げ可能な折り曲げ線１７が設けてあり、画面前部型スタンド形態に変形するには、前述の折り曲げ線１７を折り曲げ、図に示す矢印のように上面カバー２をタブレット型端末の背面側に折り込むことで、タブレット型端末の画面が前部に位置し、タブレット型端末でテレビ等の動画を視聴する場合に適した画面前部スタンドとして使用することができる。
【００３６】
図７は、本考案の一実施形態に係るタブレット型端末のスタンド兼ホルダーの画面上部スタンド形態の斜視図である。
画面上部スタンド形態に変形するには、横置きスタンド形態でスタンド部５を直立させ、直立させたスタンド部５の上に下面カバー４を移動させることで行う。
タブレット型端末が下面カバー４上に収納された状態では、直立させたスタンド部５の上にタブレット型端末の背面が載る状態となり、画面角度は図に示した矢印方向に変化し、一点鎖線で示すような傾斜角度となる。
画面上部スタンド形態は、スタンド上部にタブレット型端末の画面が位置し、電子書籍の閲覧や会議等での資料提示に適するスタンド形態である。
【００３７】
本考案の一実施形態に係るタブレット型端末のスタンド兼ホルダーは、専用のホルダーカバーを有することが好ましい。
図８は、本考案の一実施形態に係るタブレット型端末に用いるホルダーカバーの斜視図である。
本考案の一実施形態に係るタブレット型端末のスタンド兼ホルダーに用いるホルダーカバー２２は、正面カバー１、上面カバー２、背面カバー３、下面カバー４、第１、第２コーナー部６、７を覆い、切り込み線１５に対応した切り込み線２８を有し、ホルダーカバー２２を装着したままでスタンドとして使用できる。
【００３８】
本実施形態のタブレット型端末のスタンド兼ホルダーに用いるホルダーカバー２２は、上面カバー２、スタンド部５及び下面カバー４のホルダーカバー装着孔１１に対応した位置に、装着突起２４を備え、正面カバー１、上面カバー２、下面カバー４、第１、第２コーナー部６、７の辺部に対応した位置に装着爪２６を備える。
ホルダーカバーは、例えばシリコンゴム等の軟質ゴムを用いて基材を作製することができ、基材のみで用いることもできるが、基材表面に例えば、革、ビニールレザー、布地、金属等の材料を張り付けてもよい。
【００３９】
以上、本考案の実施形態について図面を参照しながら説明したが、本考案は、上述の実施形態に限られるものではなく、本考案の技術的範囲から逸脱しない範囲内で多様に変更実施することが可能である。
【符号の説明】
【００４０】
１      正面カバー
２      上面カバー
３      背面カバー
４      下面カバー
５      スタンド部
６      第１コーナー部
７      第２コーナー部
８      内張り材
９      前板
１０、１５、２８  切り込み線
１１      装着孔
１２      角度調整部材
１３      調整舌片
１４      調整溝
１６、１７、１８、１９  折り曲げ線
２０      滑り止め
２２      ホルダーカバー
２４      装着突起
２６      装着爪
１００      タブレット型端末のスタンド兼ホルダー
２００      タブレット型端末
【図１】
0003188946.tif 000003
【図２】
0003188946.tif 000004
【図３】
0003188946.tif 000005
【図４】
0003188946.tif 000006
【図５】
0003188946.tif 000007
【図６】
0003188946.tif 000008
【図７】
0003188946.tif 000009
【図８】
0003188946.tif 000010